(57)【要約】【課題】車載用テレビジョンの液晶パネル駆動処理回路で、接続する液晶パネルが変更になる都度、搭載する液晶タイミングコントローラを変更しなければならなく、また、接続できる液晶パネルが決まっているため、細かいタイミング調整など、ＬＳＩの外部で、抵抗やコンデンサを使用しての調整が必要になる。【解決手段】液晶パネルを駆動させるのに必要な、ソースドライバのスタート信号，データ出力信号や、ゲートドライバのスタート信号，出力制御信号，ゲートシフト信号，対向電圧反転信号，映像反転信号など、接続する液晶パネルによってそれぞれ異なる、制御信号の発行タイミングや信号幅，出力極性などを任意に設定可能な回路構成を有している。この構成によって、ＶＧＡパネル，ＱＶＧＡパネルを問わず、１種のＩＣで多種の液晶パネルを表示できる液晶駆動回路が得られる。【選択図】図１
2005241821.tif 000002
【特許請求の範囲】
【請求項１】
液晶パネルの液晶駆動処理回路であって、
前記液晶パネルの駆動タイミング信号を生成するための信号基準となる水平同期信号と垂直同期信号それぞれの遅延及び信号幅を設定する手段と、
ソースドライバのスタート信号の遅延及び信号幅を設定する手段と、
ソースドライバのデータ書き出し信号の遅延及び信号幅を設定する手段と、
ゲートドライバのゲートシフト信号の遅延及び信号幅及び出力極性を設定する手段と、
ゲートドライバの出力電位制御信号の遅延及び信号幅を設定する手段と、
ゲートドライバのスタート信号の遅延及び信号幅及び出力極性を設定する手段と、
ゲートドライバの出力制御信号の遅延及び信号幅及び出力極性を設定する手段と、
液晶パネルの対向電極反転信号の遅延及び出力極性を設定する手段と、
液晶パネルの映像反転信号の遅延及び出力極性を設定する手段と、
後段回路用クランプ信号の遅延及び信号幅をを設定する手段と、
前記ソースドライバのスタート信号、前記ソースドライバのデータ書き出し信号、前記ゲートドライバのゲートシフト信号、前記ゲートドライバの出力電位制御信号、前記ゲートドライバのスタート信号、前記ゲートドライバの出力制御信号、前記液晶パネルの対向電極反転信号、前記液晶パネルの映像反転信号、前記後段回路用クランプ信号、のそれぞれを接続する液晶パネルの仕様に合わせて設定する手段とを有し、１つの駆動処理回路で、多種の液晶パネルを接続可能な液晶駆動処理回路。
【発明の詳細な説明】
【技術分野】
【０００１】
本発明は、車載用テレビジョンの受像機等に用いられる表示装置に係わり、液晶パネル駆動処理回路に関するものである。
【背景技術】
【０００２】
車載用の液晶パネルとして多く利用されている「アナログ液晶パネルのタブフレキ型タイプ」、「ディジタル液晶パネルのタブフレキ型タイプ」、「ディジタル液晶パネルのコントローラ回路内蔵タイプ」の液晶パネルとなっています。
【０００３】
アナログ液晶パネルの場合、基本的に、外部入力端子からソースドライバ関連のスタート信号、データ書き出し信号、ドットクロック信号、ＲＧＢアナログデータ信号を、ゲートドライバ関連のスタート信号、出力制御信号、ゲートシフト信号、対向電圧反転信号を入力させる必要があります。
【０００４】
ディジタル液晶パネルのタブフレキ型タイプの場合、アナログ液晶パネルと同様に外部からソースドライバ関連のスタート信号、データ書き出し信号、ドットクロック信号、ＲＧＢデジタルデータ信号を、ゲートドライバ関連のスタート信号、出力制御信号、ゲートシフト信号、対向電圧反転信号を入力させる必要があります。
【０００５】
ディジタル液晶パネルのコントローラ内蔵型タイプの場合、液晶パネルに送り込むＲＧＢデジタルデータ信号に同期した水平同期信号と垂直同期信号、表示領域信号と基準クロックの４種を入力させる必要があります。
【０００６】
しかし、これら液晶パネルのタイプのほかに、メーカごとで、信号のタイミングが違っていたり、ゲートドライバの出力極性が逆であったりする。あるメーカでは、Ｈｉｇｈ仕様で、ゲート出力するものもあれば、別のメーカでは、Ｌｏｗ仕様で出力するものもある。また、液晶パネルによっては、ゲート出力制御信号が１線式や、２線式，３線式など、制御信号も異なっている。よって、製品開発をする時に、接続する液晶パネルが変更になると、搭載する液晶タイミングコントローラＩＣを、接続するパネルに合わせなければならない。
【０００７】
以下に、図９を参考にながら、従来のＱＶＧＡパネルの制御信号出力部の液晶駆動システムについて説明します。
【０００８】
例えば、あるＱＷＶＧＡ仕様の液晶パネルを駆動させるためのタイミング信号は、水平方向の基準となる水平同期信号１は、３．８ｕｓ（１０ＭＨｚのクロックで３８ｃｌｋ）、垂直方向の基準となる垂直同期信号２は、２ライン幅の信号が入力されます。
【０００９】
このとき、ソースドライバ関連の出力信号は次のようになります。ソースドライバのスタート信号は、入力された水平基準信号１の前エッジを基準に、ソースドライバスタート信号生成処理回路３で、約１０．３ｕｓ遅延／１ｃｌｋ幅のソーススタート信号４を作り出します。ソースドライバのデータ書出し信号は、入力された水平基準信号１の前エッジを基準に、ソースドライバ書き出し信号生成処理回路５で、約５８．４ｕｓ遅延／７．５ｕｓ幅（１０ＭＨｚクロック時）のソース書き出し信号６を作り出します。
【００１０】
また、ゲートドライバ関連の出力信号は次のようになります。ゲートドライバのゲートシフト信号は、入力された水平基準信号１の前エッジを基準に、ゲートドライバゲートシフト信号生成処理回路７で、約５１．８ｕｓ遅延／１３．２ｕｓ幅（１０ＭＨｚクロック時）のゲートシフト信号８を作り出します。ゲートドライバのスタート信号は、入力された垂直基準信号２の前エッジとゲートシフト信号８の前エッジを基準に、ゲートドライバスタート信号生成処理回路９で、遅延量なし／１ライン幅／Ｌｏｗアクティブのゲートスタート信号１０を作り出します。ゲートドライバの出力制御信号は、液晶駆動部の垂直同期信号２の前エッジ位置とゲートシフト信号８の前エッジ位置を基準にクロック単位で設定され、３線式の場合だと、第１信号は、ゲートドライバ出力制御信号１生成処理回路１１で、遅延なし／５３．４ｕｓ幅のゲート出力制御１信号１２を，第２信号は、ゲートドライバ出力制御信号２生成処理回路１３で、５．８ｕｓ遅延／５．２ｕｓ幅のゲート出力制御２信号１４を，第３信号は、ゲートドライバ出力制御信号３生成処理回路１５で、２０．２ｕｓ遅延／５．８ｕｓ幅のゲート出力制御３信号１６が作り出されます。対向電圧反転信号は、入力された水平基準信号１の前エッジを基準に、対向電圧反転信号生成処理回路１７で、５８．４ｕｓ遅延の１Ｈ反転の対向電圧反転信号１８を作り出しています（例えば特許文献１参照）。
【特許文献１】特開平８−２７５０２６号公報
【発明の開示】
【発明が解決しようとする課題】
【００１１】
しかしながら、従来の液晶駆動システムでは、前記でも述べたように、接続する液晶パネルが変更になる都度、搭載する液晶タイミングコントローラを変更しなければならなく、また、接続できる液晶パネルが決まっているため、細かいタイミング調整など、ＩＣの外部で、抵抗やコンデンサを使用しての調整が必要になる。
【課題を解決するための手段】
【００１２】
この目的を達成するために本発明の車載用液晶駆動回路システムは、ソースドライバのスタート信号，データ出力信号や、ゲートドライバのスタート信号，出力制御信号，ゲートシフト信号，対向電圧反転信号，映像反転信号など、接続する液晶パネルによってそれぞれ異なる、制御信号の発行タイミングや信号幅，出力極性などを任意に設定可能な回路構成を有している。この構成によって、ＶＧＡパネル，ＱＶＧＡパネルを問わず、１種のＩＣで多種の液晶パネルを表示できる液晶駆動回路システムが得られる。
【発明の効果】
【００１３】
本発明の車載用液晶駆動システムは、市場に出荷している多種の液晶パネルを、１つのＩＣで駆動でき、製品の開発期間の短縮や、製品開発の多様性、また、細かいタイミング調整が対応可能であるため、液晶パネルに表示する画質向上という優れた効果が得られる。
【発明を実施するための最良の形態】
【００１４】
本発明の請求項１に記載する発明は、液晶パネルの液晶駆動処理回路であって、前記液晶パネルの駆動タイミング信号を生成するための信号基準となる水平同期信号と垂直同期信号それぞれの遅延及び信号幅を設定する手段と、ソースドライバのスタート信号の遅延及び信号幅を設定する手段と、ソースドライバのデータ書き出し信号の遅延及び信号幅を設定する手段と、ゲートドライバのゲートシフト信号の遅延及び信号幅及び出力極性を設定する手段と、ゲートドライバの出力電位制御信号の遅延及び信号幅を設定する手段と、ゲートドライバのスタート信号の遅延及び信号幅及び出力極性を設定する手段と、ゲートドライバの出力制御信号の遅延及び信号幅及び出力極性を設定する手段と、液晶パネルの対向電極反転信号の遅延及び出力極性を設定する手段と、液晶パネルの映像反転信号の遅延及び出力極性を設定する手段と、後段回路用クランプ信号の遅延及び信号幅をを設定する手段と、前記ソースドライバのスタート信号、前記ソースドライバのデータ書き出し信号、前記ゲートドライバのゲートシフト信号、前記ゲートドライバの出力電位制御信号、前記ゲートドライバのスタート信号、前記ゲートドライバの出力制御信号、前記液晶パネルの対向電極反転信号、前記液晶パネルの映像反転信号、前記後段回路用クランプ信号、のそれぞれを接続する液晶パネルの仕様に合わせて設定する手段とを有し、１つの駆動処理回路で、多種の液晶パネルを接続可能な液晶駆動処理回路です。本発明により、それぞれの信号を接続する液晶パネルの仕様に合わせて設定することによって、１種類のＩＣで、多種の液晶パネル接続を可能にします。
【００１５】
以下、発明の実施の形態は図１から図８までを参照しながら説明します。尚、図９は本発明の液晶パネル制御信号生成するための基準信号生成処理部のブロック図であり、図２は本発明のソースドライバ制御信号生成処理部のブロック図であり、図３は本発明の単型ゲートシフト信号生成処理部のブロック図であり、図４は本発明の２重波形時ゲートシフト信号生成処理部のブロック図であり、図５は本発明のＧＳＸ信号（ゲート出力電位制御信号）生成処理部のブロック図であり、図６は本発明のゲートスタート信号生成処理部のブロック図であり、図７は本発明のゲート出力制御信号生成処理部のブロック図であり、図８は本発明の対向電圧反転信号，映像反転基準信号，及び、クランプ信号生成処理部のブロック図である。
【実施例１】
【００１６】
液晶駆動回路の水平基準となる水平同期信号２６のタイミングの調整は、Ｌｏｗアクティブで入力される水平基準信号２１の立ち下がりエッジを基準に、液晶水平同期信号生成処理回路２３で、クロック単位での遅延調整と、遅延調整された水平同期信号の開始位置から信号幅調整をすることができます。水平同期信号前エッジ信号と９ｂｉｔカウンタ２２を用いて調整します。遅延量の調整は、液晶駆動部の水平同期信号前エッジ位置を基準に遅延設定します。ファンクションの液晶水平基準遅延量２４に従い、設定することができます。このファンクションは８ｂｉｔであるので、２５５ｃｌｋ遅延することができます。信号幅調整は、遅延処理された水平同期信号の開始位置を基準に、クロック単位幅設定します。ファンクションの液晶水平基準幅２５に従い、設定します。このファンクションは８ビットあるので、最大２５５ｃｌｋまで広げることができます。
【実施例２】
【００１７】
液晶駆動回路の垂直基準となる垂直同期信号３２のタイミングの調整は、Ｌｏｗアクティブで入力される垂直基準信号２７の立ち下がりエッジを基準に、液晶垂直同期信号生成処理回路２９で、水平単位での遅延調整と、遅延調整された垂直同期信号の開始位置から、水平単位で、信号幅調整をすることができます。垂直同期信号３２と水平同期信号２６の前エッジ信号で、８ｂｉｔカウンタ２８を用いて調整します。遅延量の調整は、液晶駆動部の垂直同期信号前エッジ位置を基準に、水平同期信号２６の前エッジ信号単位で、遅延設定します。ファンクション液晶水平基準遅延量３０に従い、設定することができます。このファンクションは７ｂｉｔであるので、１２７ライン遅延することができます。信号幅調整は、遅延処理された垂直同期信号開始位置を基準に、水平単位で幅設定します。ファンクション液晶水平基準幅３１に従い、設定します。このファンクションは２ビットあるので、最大３ラインまで広げることができます。
【実施例３】
【００１８】
ソースドライバのスタートパルスのソーススタート信号４６に対するタイミング調整は、水平同期信号４１からの遅延調整と、スタート信号開始位置から信号幅調整することができます。水平同期信号４１の前エッジ信号とソースドライバ用１１ｂｉｔカウンタ４２を用いて調整します。
【００１９】
遅延量の調整は、液晶駆動部の水平同期信号４１の前エッジ位置を基準に、ソースドライバスタート信号生成処理回路４３で、クロック単位で遅延設定します。ファンクションのソーススタート遅延量４４に従い、設定することができます。このファンクションは８ｂｉｔであるので、５１１ｃｌｋ遅延することができます。信号幅調整は、ソースドライバスタート信号開始位置を基準に、クロック単位で幅設定します。ファンクションのソーススタート信号幅４５に従い、設定します。このファンクションは４ビットあるので、最大１５ｃｌｋまで広げることができます。この幅調整機能があるのは、シフトクロックの両エッジ仕様で動作するタイミングで駆動することを考慮しています。
【実施例４】
【００２０】
ソースドライバのデータ書出しを行う、ソース書き出し信号５０に対するタイミング調整は、水平同期信号４１からの遅延調整と、データ書き出し開始位置からの信号幅調整をすることができます。水平同期信号前エッジ信号とソースドライバ用１１ｂｉｔカウンタ４２を用いて調整します。
【００２１】
遅延量の調整は、液晶駆動部の水平同期信号４１の前エッジ位置を基準に、ソースドライバ書き出し信号生成処理回路４７で、クロック単位で遅延設定します。ファンクションのソース書き出し遅延量４８に従い、設定することができます。このファンクションは１１ｂｉｔであるので、最大２０４７ｃｌｋ遅延することができます。信号幅調整は、ソースドライバ書き出し信号開始位置を基準に、クロック単位で幅設定します。ファンクションのソース書き出し信号幅４９に従い、設定します。このファンクションは１０ビットあるので、最大１０２３ｃｌｋまで広げることができます。また、この信号幅を０ｈ設定すると、Ｈｉｇｈ−Ｌｏｗ１Ｈ反転の信号となり、このＨｉｇｈ−Ｌｏｗ１Ｈ反転の信号のみ、極性反転のファンクションによって、信号反転できる仕様になっています。
【実施例５】
【００２２】
ゲートドライバの単型シフト処理を行う、ゲートシフト信号５７に対するタイミング調整は、水平同期信号５１からの遅延調整と、ゲートシフト信号開始位置からの信号幅調整と、波形の極性論理設定をすることができます。水平同期信号前エッジ信号とソースドライバ用１１ｂｉｔカウンタ５２を用いて調整します。
【００２３】
遅延量の調整は、液晶駆動部の水平同期信号前エッジ位置を基準に、ソースドライバ書き出し信号生成処理回路５３で、クロック単位で遅延設定します。ファンクションのゲートシフト遅延量５４に従い、設定することができます。このファンクションは１１ｂｉｔであるので、最大２０４７ｃｌｋ遅延することができます。信号幅調整は、ゲートドライバのシフト信号開始位置を基準に、クロック単位で幅設定します。ファンクションのゲートシフト信号幅５５に従い、設定します。このファンクションは１１ビットあるので、最大２０４７ｃｌｋまで広げることができます。また、ゲートシフト極性５５のファンクションによって、信号反転できる仕様になっています。
【００２４】
このゲートドライバのシフト信号は２重信号にも適応しています。この場合のゲートドライバのシフト信号は、第１信号，第２信号それぞれ、遅延調整と信号幅調整を設定することができ、それぞれゲートシフト１信号６６及び、ゲートシフト２信号７０になります。水平同期信号６１の前エッジ信号とソースドライバ用１１ｂｉｔカウンタ６２を用い、第１信号は、液晶駆動部の水平同期信号前エッジ位置を基準に、ゲートドライバゲートシフト１信号生成処理回路６３で、クロック単位で遅延設定します。ファンクションの第１ゲートシフト遅延量６４に従い、設定することができます。このファンクションは１１ｂｉｔであるので、最大２０４７ｃｌｋ遅延することができます。第１信号の信号幅は、ファンクションの第１ゲートシフト信号幅６５に従い、設定します。このファンクションも１１ビットあるので、最大２０４７ｃｌｋまで広げることができます。
【００２５】
第２信号は、第１信号の開始位置を基準に、ゲートドライバゲートシフト１信号生成処理回路６７で、クロック単位で遅延設定します。ファンクションの第２ゲートシフト遅延量６８に従い、設定することができます。このファンクションは１１ｂｉｔであるので、最大２０４７ｃｌｋ遅延することができます。第２信号の信号幅は、ファンクションの第２ゲートシフト信号幅６９に従い、設定します。このファンクションも１１ビットあるので、最大２０４７ｃｌｋまで広げることができます。この２重信号仕様は、アナログ信号入力の液晶パネル接続時の、２ライン同時描画仕様のときに使用します。
【実施例６】
【００２６】
ゲートドライバのＧＳＸ信号７６に対するタイミング調整は、水平同期信号７１からの遅延調整と、ＧＳＸ信号開始位置からの信号幅調整をすることができます。水平同期信号前エッジ信号とソースドライバ用１１ｂｉｔカウンタ７２を用いて調整します。
【００２７】
遅延量の調整は、液晶駆動部の水平同期信号前エッジ位置を基準に、ゲートドライバＧＳＸ信号生成処理回路７３で、クロック単位で遅延設定します。ファンクションのＧＳＸ信号遅延量７４に従い、設定することができます。このファンクションは１１ｂｉｔであるので、最大２０４７ｃｌｋ遅延することができます。信号幅は、ファンクションのＧＳＸ信号幅７５に従い、設定します。このファンクションは８ビットあるので、最大２５５ｃｌｋまで広げることができます。このＧＳＸ信号は、ゲートドライバの出力電位制御を行う、容量結合型駆動型液晶パネルで使用するものです。
【実施例７】
【００２８】
ゲートドライバのスタート信号に対するタイミング調整は、垂直同期信号８１を基準に、水平単位での遅延調整と、信号開始位置からの信号幅調整をすることができます。垂直同期信号前エッジ信号と、ゲートシフト信号と、ゲートドライバ用１０ｂｉｔカウンタ８３を用いて調整します。このゲートドライバの出力位置を初期位置に移動させるスタート信号のタイミング調整となります。
【００２９】
遅延量の調整は、液晶駆動部の垂直同期信号８１の前エッジ位置を基準に、ゲートドライバスタート信号生成処理回路８４で、ゲートシフト信号８２の水平単位で遅延設定します。ファンクションのゲートスタート遅延量８５に従い、設定することができます。このファンクションは１０ｂｉｔであるので、最大１０２３ライン遅延することができます。信号幅は、ファンクションのゲートスタート信号幅８６に従い、水平単位で設定します。このファンクションは４ビットあるので、最大１５Ｈまで広げることができます。
【００３０】
また、ゲートドライバのスタート信号は、第２信号を生成することができ、第２信号の生成は、ゲートドライバスタート２信号生成処理回路８７で、第１信号開始位置からの遅延量をファンクションの第２信号位相量８８で調整します。尚、この第２信号の信号幅は１Ｈ固定としています。
【００３１】
さらに、ゲートドライバのスタート信号は、極性の設定，第２信号の出力停止，第１信号と第２信号の信号入換えを設定は、ゲートドライバスタート信号出力制御回路８９で、することができます。信号極性の設定は、ゲートスタート極性９０のファンクションによって、信号反転できる仕様になっています。第２信号の出力停止は、ファンクションのゲートスタート信号形態９１で出力をする、しないの設定ができます。ファンクションのゲートスタート信号入換え９２によって、第１信号と第２信号を入れ替えられる仕様となっています。このゲートドライバスタート信号出力制御回路８８によって、出力する信号がゲートスタート１信号９３，ゲートスタート２信号９４となります。前述のように、２信号出力対応しているのは、接続する液晶パネルに２信号仕様のものがあるための対応となっています。
【実施例８】
【００３２】
ゲートドライバの出力制御信号に対するタイミング調整は、垂直同期信号１０１を基準に、水平単位での遅延調整と、信号開始位置からの信号幅調整をすることができます。垂直同期信号１０１の前エッジ信号と、ゲートシフト信号１０２と、ゲートドライバ用１０ｂｉｔカウンタ１０３を用いて調整します。
【００３３】
遅延量の調整は、液晶駆動部の垂直同期信号前エッジ位置とゲートシフト信号の前エッジ位置を基準に、ゲートドライバ出力制御信号生成処理回路１０４で、クロック単位で遅延設定します。ファンクションのゲート出力制御遅延量１０５に従い、設定することができます。このファンクションは１０ｂｉｔであるので、最大１０２３クロック遅延することができます。信号幅は、ファンクションのゲート出力制御信号幅１０６に従い、設定します。このファンクションは１１ビットあるので、最大１０２３クロックまで広げることができます。また、このゲートシフト出力制御信号は、接続する液晶パネルによって、２線式，３線式があるため、第２信号，第３信号を生成することができ、それぞれ遅延調整，信号幅調整することができます。
【００３４】
第２信号の遅延調整は、液晶駆動部の垂直同期信号前エッジ位置とゲートシフト信号の前エッジ位置を基準に、ゲートドライバ出力制御２信号生成処理回路１０７で、クロック単位で遅延設定します。ファンクションのゲート出力制御２遅延量１０８に従い、設定することができます。このファンクションは１０ｂｉｔであるので、最大１０２３クロック遅延することができます。信号幅は、ファンクションのゲート出力制御２信号幅１０９に従い、設定します。このファンクションは１１ビットあるので、最大１０２３クロックまで広げることができます。
【００３５】
第３信号も同様に、遅延調整は、液晶駆動部の垂直同期信号前エッジ位置とゲートシフト信号の前エッジ位置を基準に、ゲートドライバ出力制御２信号生成処理回路１１０で、クロック単位で遅延設定します。ファンクションのゲート出力制御３遅延量１１１に従い、設定することができます。このファンクションは１０ｂｉｔであるので、最大１０２３クロック遅延することができます。信号幅は、ファンクションゲート出力制御２信号幅１１２に従い、設定します。このファンクションは１１ビットあるので、最大１０２３クロックまで広げることができます。
【００３６】
これら３信号の出力制御は、ゲートドライバ出力制御信号出力制御回路１１３で、ファンクションのゲート信号出力形態１１４によって、１線式，２線式，３線式と制御します。尚、信号の極性も設定可能で、ファンクションのゲート信号出力極性１１５によって、設定します。この設定は、３線全てに設定されます。このゲートドライバ出力制御信号出力制御回路１１３で設定された信号が、ゲート出力１信号１１６，ゲート出力２信号１１７，ゲート出力３信号１１８で、ゲートドライバの出力を制御する信号になります。
【実施例９】
【００３７】
液晶パネルの対向電圧反転信号１２６のタイミング調整は、水平同期信号１２１からの遅延調整をすることができます。水平同期信号前エッジ信号とソースドライバ用１１ｂｉｔのカウンタを用いて調整します。
【００３８】
対向電圧反転信号の遅延量の調整は、液晶駆動部の水平同期信号１２１の前エッジ位置を基準に、対向電圧反転信号生成処理回路１２３で、クロック単位で遅延設定します。ファンクションの対向電圧反転遅延量１２４に従い、設定することができます。このファンクションは１１ｂｉｔであるので、最大２０４７ｃｌｋ遅延することができます。また、対向電圧反転信号の極性も設定可能で、ファンクションの対向電圧極性１２５によって、設定します。尚、この対向電圧反転信号は１Ｈ反転信号です。
【実施例１０】
【００３９】
液晶パネルの映像反転信号１３２に対するタイミング調整は、ソースドライバのデータ書出し処理を行う、ソース書き出し信号１２７からの遅延調整をすることができます。ソース書き出し信号１２７の前エッジ信号と７ｂｉｔカウンタ１２８を用いて調整します。
【００４０】
映像反転信号の遅延量の調整は、ソース書き出し信号１２７の前エッジ位置を基準に、映像反転信号生成処理回路１２９で、クロック単位で遅延設定します。ファンクションの映像反転遅延量１３０に従い、設定することができます。このファンクションは６ｂｉｔであるので、最大６３ｃｌｋ遅延することができます。また、対向電圧反転信号の極性も設定可能で、ファンクションの映像反転極性１３１によって、設定します。尚、この映像反転信号は１Ｈ反転信号です。
【実施例１１】
【００４１】
後段回路用クランプ信号１３６のタイミング調整は、水平同期信号１２１からの遅延調整と、後段回路用クランプ信号の開始位置からの信号幅調整をすることができます。水平同期信号１２１の前エッジ信号とソースドライバ用１１ｂｉｔカウンタ１２１を用いて調整します。
【００４２】
遅延量の調整は、液晶駆動部の水平同期信号前エッジ位置を基準に、後段回路用クランプ信号生成処理回路１３３で、クロック単位で遅延設定します。ファンクションのクランプ遅延量１３４に従い、設定することができます。このファンクションは９ｂｉｔであるので、最大５１１ｃｌｋ遅延することができます。信号幅は、ファンクションのクランプ信号幅１３５に従い、設定します。このファンクションは７ビットあるので、最大１２７ｃｌｋまで広げることができます。
【実施例１２】
【００４３】
液晶パネルの仕様ごとに、実施例１から１２までの調整を行うと、現在市場に出荷されている、ＱＶＧＡパネル、及び、ワイド画面を含むＶＧＡパネルの殆どが、接続可能となります。
【産業上の利用可能性】
【００４４】
本発明は、車載用液晶テレビジョンの受像機等に用いられる表示装置に係わり、多種液晶パネルと接続可能な液晶駆動システムの開発により、車載用液晶表示装置の製品開発の多様性及び、精密なタイミング調整が対応可能であるため、液晶パネルに表示する画質向上に有効である。
【図面の簡単な説明】
【００４５】
【図１】本発明の液晶パネル制御信号生成するための基準信号生成処理部のブロック図
【図２】本発明のソースドライバ制御信号生成処理部のブロック図
【図３】本発明の単型ゲートシフト信号生成処理部のブロック図
【図４】本発明の２重波形時ゲートシフト信号生成処理部のブロック図
【図５】本発明のＧＳＸ信号（ゲート出力電位制御信号）生成処理部のブロック図
【図６】本発明のゲートスタート信号生成処理部のブロック図
【図７】本発明のゲート出力制御信号生成処理部のブロック図
【図８】本発明の対向電圧反転信号，映像反転基準信号，及び、クランプ信号生成処理部のブロック図
【図９】従来のＱＶＧＡパネル制御信号出力部の液晶駆動回路のブロック図
【符号の説明】
【００４６】
１，２６，４１，５１，６１，７１，１２１    水平同期信号
２，３２，８１，１０１    垂直同期信号
３    ソースドライバスタート信号生成処理回路
４，４６    ソーススタート信号
５    ソースドライバ書き出し信号生成処理回路
６，５０，１２７    ソース書き出し信号
７    ゲートドライバゲートシフト信号生成処理回路
８，５７，８２，１０２    ゲートシフト信号
９    ゲートドライバスタート信号生成処理回路
１０    ゲートスタート信号
１１    ゲートドライバ出力制御信号１生成処理回路
１２    ゲート出力制御１信号
１３    ゲートドライバ出力制御信号２生成処理回路
１４    ゲート出力制御２信号
１５    ゲートドライバ出力制御信号３生成処理回路
１６    ゲート出力制御３信号
１７    対向電圧反転信号生成処理回路
１８    対向電圧反転信号
２１    水平基準信号
２２    ９ｂｉｔカウンタ
２３    液晶水平同期信号生成処理回路
２４    液晶水平基準遅延量（ファンクション）
２５    液晶水平基準幅（ファンクション）
２７    垂直基準信号
２８    ８ｂｉｔカウンタ
２９    液晶垂直同期信号生成処理回路
３０    液晶垂直基準遅延量（ファンクション）
３１    液晶垂直基準幅（ファンクション）
４２，５２，６２，７２，１２２    １１ｂｉｔカウンタ
４３    ソースドライバスタート信号生成処理回路
４４    ソーススタート遅延量（ファンクション）
４５    ソーススタート信号幅（ファンクション）
４７    ソースドライバ書き出し信号生成処理回路
４８    ソース書き出し遅延量（ファンクション）
４９    ソース書き出し信号幅（ファンクション）
５３    ゲートドライバゲートシフト信号生成処理回路
５４    ゲートシフト遅延量（ファンクション）
５５    ゲートシフト信号幅（ファンクション）
５６    ゲートシフト極性（ファンクション）
６３    ゲートドライバゲートシフト１信号生成処理回路
６４    第１ゲートシフト遅延量（ファンクション）
６５    第１ゲートシフト信号幅（ファンクション）
６６    ゲートシフト１信号
６７    ゲートドライバゲートシフト２信号生成処理回路
６８    第２ゲートシフト遅延量（ファンクション）
６９    第２ゲートシフト信号幅（ファンクション）
７０    ゲートシフト１信号
７３    ゲートドライバＧＳＸ信号生成処理回路
７４    ＧＳＸ信号遅延量（ファンクション）
７５    ＧＳＸ信号幅（ファンクション）
７６    ＧＳＸ信号
８３、１０３    １０ｂｉｔカウンタ
８４    ゲートドライバスタート信号生成処理回路
８５    ゲートスタート遅延量（ファンクション）
８６    ゲートスタート信号幅（ファンクション）
８７    ゲートドライバスタート２信号生成処理回路
８８    第２信号位相量（ファンクション）
８９    ゲートドライバスタート信号出力制御回路
９０    ゲートスタート極性（ファンクション）
９１    ゲートスタート信号形態（ファンクション）
９２    ゲートスタート信号入換え（ファンクション）
９３    ゲートスタート１信号
９４    ゲートスタート２信号
１０４    ゲートドライバ出力制御信号生成処理回路
１０５    ゲート出力制御遅延量（ファンクション）
１０６    ゲート出力制御信号幅（ファンクション）
１０７    ゲートドライバ出力制御信号２生成処理回路
１０８    ゲート出力制御２遅延量（ファンクション）
１０９    ゲート出力制御２信号幅（ファンクション）
１１０    ゲートドライバ出力制御信号３生成処理回路
１１１    ゲート出力制御３遅延量（ファンクション）
１１２    ゲート出力制御３信号幅（ファンクション）
１１３    ゲートドライバ出力制御信号出力制御回路
１１４    ゲート信号出力形態（ファンクション）
１１５    ゲート信号出力極性（ファンクション）
１１６    ゲート出力１信号
１１７    ゲート出力２信号
１１８    ゲート出力３信号
１２３    対向電圧反転信号生成処理回路
１２４    対向電圧反転遅延量（ファンクション）
１２５    対向電圧極性（ファンクション）
１２６    対向電圧反転信号
１２８    ７ｂｉｔカウンタ
１２９    映像反転信号生成処理回路
１３０    映像反転遅延量（ファンクション）
１３１    映像反転極性（ファンクション）
１３２    映像反転信号
１３３    後段回路用クランプ信号生成処理回路
１３４    クランプ遅延量（ファンクション）
１３５    クランプ信号幅（ファンクション）
１３６    クランプ信号
【図１】
2005241821.tif 000003
【図２】
2005241821.tif 000004
【図３】
2005241821.tif 000005
【図４】
2005241821.tif 000006
【図５】
2005241821.tif 000007
【図６】
2005241821.tif 000008
【図７】
2005241821.tif 000009
【図８】
2005241821.tif 000010
【図９】
2005241821.tif 000011